(57)【要約】【課題】組立作業が簡単で、施工が容易な組立式型枠材の提供。【解決手段】２枚のプラスチックパネル10を対向配置し、パネル用保持具20、締付具(42、44)、棒状補強材30a、30b、Ｌ字状治具60とを用いて組み立てた後、締付具の締付部42を締め付けることで、全体を一体に支持固定して、コンクリート打設に必要な空間を形成する。【選択図】  図９
2004197348.tif 000002
【特許請求の範囲】
【請求項１】
複数の孔を有し、孔を有していない面に設けられた、複数の一方向へのリブを有するプラスチックパネルと、
施工時において、パネルの一端辺又はパネルの対向する両端辺を嵌め込んで保持するための溝を有するパネル用保持具と、
施工時において、パネル表面のリブ上に配置し、パネルを支持補強するための棒状補強材と、
施工時において、所定間隔をおき対向して配置された２枚のプラスチックパネルと棒状補強材とを、プラスチックパネルの両外側から押圧して支持固定するための締付具とを少なくとも有している、組立式型枠材。
【請求項２】
複数の孔を有し、孔を有していない面に設けられた、複数の一方向へのリブを有するプラスチックパネルと、
施工時において、パネルの一端辺又はパネルの対向する両端辺を嵌め込んで保持するための溝を有するパネル用保持具と、
施工時において、パネル表面のリブ上に配置し、パネルを支持補強するための棒状補強材、
施工時において、２枚の隣接するパネル同士を角度を付けて組み合わせる際に使用するためのものであり、プラスチックパネルの端辺を嵌め込んで保持するための２つの溝を有する角用保持具、
施工時において、所定間隔をおき対向して配置された２枚のプラスチックパネルと棒状補強材とを、プラスチックパネルの両外側から押圧して支持固定するための締付具とを少なくとも有している、組立式型枠材。
【請求項３】
締付具が、両端側にネジ部を有する棒状部と、棒状部の両端側に螺合可能に取り付けられる締付部とを有しており、所定間隔をおき対向して配置された２枚のプラスチックパネルの孔に棒状部のネジ部を挿入し、棒状部が２枚のプラスチックパネル間に架け渡された状態で、両端外側から締付部で締め付けるものである、請求項１又は２記載の組立式型枠材。
【請求項４】
更に、締付具の棒状部のネジ部をプラスチックパネルの孔に差し込むとき、孔とネジ部との間に介在させるためのものであり、ネジ部を挿入する孔が設けられたスペーサを有する、請求項３記載の組立式型枠材。
【請求項５】
更に、プラスチックパネルの孔に一端部の折曲部を引っ掛け、残部の折曲部において棒状補強材を保持するためのＬ字状又はＳ字状治具を有する、請求項１〜４のいずれかに記載の組立式型枠材。
【請求項６】
更に、複数のプラスチックパネルを連結するための治具であり、２枚のプラスチックパネルの端部同士を孔が一致するように重ね合わせたとき、前記孔に差し込んで使用する、基板部と、基板部上に突設された弾性部材からなる矢尻部とを備えた矢尻状治具を有する、請求項１〜５のいずれかに記載の組立式型枠材。
【請求項７】
請求項１、３〜５のいずれかに記載の組立式型枠材を用いた施工方法であり、
プラスチックパネルの一端辺又は対向する両端辺を２つのパネル用保持具の溝に嵌め込んで組み合わせる工程、
必要に応じてＬ字状又はＳ字状治具を用い、プラスチックパネル表面のリブ上に、前記リブの長さ方向と直交する方向及び／又は同一方向に棒状補強材を配置し、締付具で押圧してプラスチックパネルと棒状補強材を一体に支持固定する工程とを基本工程として具備しており、
締付具でプラスチックパネルと棒状補強材を一体に支持固定する工程が、
少なくとも２枚のプラスチックパネルを用い、プラスチックパネルは、リブの突起部側が互いに外側を向き、内側に壁状空間が形成されるようにして対向配置し、対向配置されたプラスチックパネルの孔から両端のネジ部が突出するようにして、必要に応じてスペーサーを介在させて締付具の棒状部を挿入する工程と、
突出した棒状部の両端ネジ部側から締付部を螺合することでプラスチックパネルを両外側から押圧して、対向配置されたプラスチックパネル同士と棒状補強材とを一体に支持固定する工程とを具備している、壁状空間を形成するための施工方法。
【請求項８】
請求項２、３〜５のいずれかに記載の組立式型枠材を用いた施工方法であり、
プラスチックパネルの一端辺又は対向する両端辺を２つのパネル用保持具の溝に嵌め込んで組み合わせる工程、
角用保持具の２つの溝に残余の端辺を嵌め込んで、隣接するパネル同士間で角度が付くように保持する工程、
必要に応じてＬ字状又はＳ字状治具を用い、プラスチックパネル表面のリブ上に、前記リブの長さ方向と直交する方向及び／又は同一方向に棒状補強材を配置し、締付具で押圧してプラスチックパネルと棒状補強材を一体に支持固定する工程とを基本工程として具備しており、
締付具でプラスチックパネルと棒状補強材を一体に支持固定する工程が、
少なくとも４枚のプラスチックパネルを用い、プラスチックパネルは、リブの突起部側が互いに外側に向き、四方が囲まれた空間又は折曲部を有する壁状空間が形成されるようにして対向配置し、対向配置されたプラスチックパネルの孔から両端のネジ部が突出するようにして、必要に応じてスペーサーを介在させて締付具の棒状部を挿入する工程と、
突出した棒状部の両端側から締付部を螺合することで、プラスチックパネルを両外側から押圧して、対向配置されたプラスチックパネル同士と棒状補強材とを一体に支持固定する工程とを具備している、四方が囲まれた空間又は折曲部を有する壁状空間を形成するための施工方法。
【請求項９】
請求項７又は８の施工方法において、リブの向きが所望方向になるようにしてプラスチックパネルを使用する施工方法。
【請求項１０】
２枚以上のプラスチックパネルの端同士を孔が一致するように重ね合わせ、重ね合わされた部分の孔に請求項６記載の矢尻状治具を差し込んで連結する工程を含む請求項７〜９のいずれかに記載の施工方法。
【発明の詳細な説明】
【０００１】
【発明の属する技術分野】
本発明は、建築、土木作業等のコンクリート基礎工事で使用する組立式型枠材及びそれらを用いた施工方法に関する。
【０００２】
【従来の技術及び発明が解決しようとする課題】
各種建築、土木作業において、コンクリート基礎工事を行う際、合板の型枠やラス型枠で区切った空間にコンクリートを流し込んで固めた後、型枠を取り除く作業が行われる。このような作業では、型枠を裁断したり、組み合わせたりする作業が繁雑となり、型枠を取り外す作業も必要となる。
【０００３】
このような合板の型枠を使用した場合の問題点を解決するため、図１６に示すようなプラスチック製多孔型枠６が提案されている（登録実用新案公報第３０５７７７７号）。図中、２はフランジ部、３はリブ、４は貫通孔、５は釘穴である。この従来技術では、施工現場における作業性を向上させる点で等で様々な改善の余地がある。
【０００４】
本発明は、上記課題を解決すると共に、更に施工時における作業性を大幅に向上させることができる組立式型枠材、及びそれらを用いた施工法を提供することを課題とする。
【０００５】
【課題を解決するための手段】
本発明者は、先に上記した第１〜第３の課題を解決するものとして、プラスチック製型枠材を提案しており（特開２００２−３３２７０９号公報）、本発明は、前記発明を更に改善することで、保管及び運搬コストの低減、作業性の大幅な向上等の顕著な改善効果が得られたものである。
【０００６】
請求項１の発明は、課題の解決手段として、複数の孔を有し、孔を有していない面に設けられた、複数の一方向へのリブを有するプラスチックパネルと、
施工時において、パネルの一端辺又はパネルの対向する両端辺を嵌め込んで保持するための溝を有するパネル用保持具と、
施工時において、パネル表面のリブ上に配置し、パネルを支持補強するための棒状補強材と、
施工時において、所定間隔をおき対向して配置された２枚のプラスチックパネルと棒状補強材とを、プラスチックパネルの両外側から押圧して支持固定するための締付具とを少なくとも有している、組立式型枠材を提供するものである。
【０００７】
このような組立式型枠材は、所定間隔をおいて、対向しかつ平行にプラスチックパネルを配置することで形成された壁状空間内にコンクリートを打設して、建築物の土台等を造る施工方法に適している。対向配置するプラスチックパネルの間隔を調整することで、一般家屋から大規模建築物まで対応することができる。
【０００８】
プラスチックパネルに設けられた孔は、締付具及び必要に応じて使用される治具を挿入したり、引っ掛けたりするためのものであり、空気抜きの作用はするが、コンクリート打設時に積極的に水抜きをするようには作用しない。
【０００９】
プラスチックパネルに設けられたリブは、間隔をおいて、一方向のみに複数のリブが形成されているものである。リブはプラスチックパネルの強度を高めるように作用するものであるが、保管時において、プラスチックパネルを巻物状にして保存することを妨げるものではない。また、リブ１４は、コンクリート打設時において、空気抜き用の通路としても作用する。
【００１０】
プラスチックパネルは、合板と比べると軽量であるとの利点を有しており、更に巻物状にして保管、運搬ができるので、保管及び運搬作業が容易であり、保管及び運搬コストも低減できる。また、施工現場においてノコギリ、ハサミ等で所要長さに切断して使用することができるので、合板と比べると作業性も良く、施工現場における施工状況の変化にも容易に対応できる。
【００１１】
更に、他のパネル用保持具、棒状補強材もプラスチック製にすることができるため、軽量であるとの利点を得ることができ、施工現場において、プラスチックパネルの長さに応じた所要長さになるように切断使用することができるので、作業性も良い。
【００１２】
プラスチックパネル、パネル用保持具、棒状補強材及び締付具を少なくとも有する組立式型枠材は、手順に従って、又は現場作業員による通常の工夫の範囲内で適宜手順を改変することで、容易に組み立てることができる。
【００１３】
請求項２の発明は、課題の解決手段として、複数の孔を有し、孔を有していない面に設けられた、複数の一方向へのリブを有するプラスチックパネルと、
施工時において、パネルの一端辺又はパネルの対向する両端辺を嵌め込んで保持するための溝を有するパネル用保持具と、
施工時において、パネル表面のリブ上に配置し、パネルを支持補強するための棒状補強材、
施工時において、２枚の隣接するパネル同士を角度を付けて組み合わせる際に使用するためのものであり、プラスチックパネルの端辺を嵌め込んで保持するための２つの溝を有する角用保持具、
施工時において、所定間隔をおき対向して配置された２枚のプラスチックパネルと棒状補強材とを、プラスチックパネルの両外側から押圧して支持固定するための締付具とを少なくとも有している、組立式型枠材を提供するものである。
【００１４】
このような組立式型枠材は、四方が囲まれた空間又は折曲部を有する壁状空間内にコンクリートを打設して、建築物の柱、土台等を造る施工方法に適している。プラスチックパネルの配置状態を調整することで、一般家屋から大規模建築物まで対応することができる。
【００１５】
本発明の組立式型枠材（請求項３の発明）において、締付具は、両端側にネジ部を有する棒状部と、棒状部の両端側に螺合可能に取り付けられる締付部とを有しており、所定間隔をおき対向して配置された２枚のプラスチックパネルの孔に棒状部のネジ部を挿入し、棒状部が２枚のプラスチックパネル間に架け渡された状態で、両端外側から締付部で締め付けるものが好ましい。締付具は、金属製（鉄等）のものを用いる。
【００１６】
本発明の組立式型枠材（請求項４の発明）としては、更に、締付具の棒状部のネジ部をプラスチックパネルの孔に差し込むとき、孔とネジ部との間に介在させるためのものであり、ネジ部を挿入する孔が設けられたスペーサを有することが好ましい。
【００１７】
このようなスペーサを用いることで、締付部とプラスチックパネルが接触しないので、締付具による締め付け強度をより高めることができると共に、締め付け時における押圧力により、プラスチックパネルが破損することが防止される。
【００１８】
本発明の組立式型枠材（請求項５の発明）としては、更に、プラスチックパネルの孔に一端部の折曲部を引っ掛け、残部の折曲部において棒状補強材を保持するためのＬ字状又はＳ字状治具を有することが好ましい。
【００１９】
このようなＬ字状又はＳ字状治具を用いることで、棒状補強材の取り付け作業性が大幅に向上される。
【００２０】
本発明の組立式型枠材としては、更に、複数のプラスチックパネルを連結するための治具であり、２枚のプラスチックパネルの端部同士を孔が一致するように重ね合わせたとき、前記孔に差し込んで使用する、基板部と、基板部上に突設された弾性部材からなる矢尻部とを備えた矢尻状治具を有することが好ましい。
【００２１】
請求項７の発明は、他の課題の解決手段として、請求項１、３〜５のいずれかに記載の組立式型枠材を用いた施工方法であり、
プラスチックパネルの一端辺又は対向する両端辺を２つのパネル用保持具の溝に嵌め込んで組み合わせる工程、
必要に応じてＬ字状又はＳ字状治具を用い、プラスチックパネル表面のリブ上に、前記リブの長さ方向と直交する方向及び／又は同一方向に棒状補強材を配置し、締付具で押圧してプラスチックパネルと棒状補強材を一体に支持固定する工程とを基本工程として具備しており、
締付具でプラスチックパネルと棒状補強材を一体に支持固定する工程が、
少なくとも２枚のプラスチックパネルを用い、プラスチックパネルは、リブの突起部側が互いに外側を向き、内側に壁状空間が形成されるようにして対向配置し、対向配置されたプラスチックパネルの孔から両端のネジ部が突出するようにして、必要に応じてスペーサーを介在させて締付具の棒状部を挿入する工程と、
突出した棒状部の両端ネジ部側から締付部を螺合することでプラスチックパネルを両外側から押圧して、対向配置されたプラスチックパネル同士と棒状補強材とを一体に支持固定する工程とを具備している、壁状空間を形成するための施工方法を提供するものである。
【００２２】
このような施工方法は、所定間隔をおいて、対向しかつ平行にプラスチックパネルを配置することで形成された壁状空間内にコンクリートを打設して、建築物の土台等を造る施工方法に適している。対向配置するプラスチックパネルの間隔を調整することで、一般家屋から大規模建築物まで対応することができる。
【００２３】
請求項８の発明は、他の課題の解決手段として、請求項２、３〜５のいずれかに記載の組立式型枠材を用いた施工方法であり、
プラスチックパネルの一端辺又は対向する両端辺を２つのパネル用保持具の溝に嵌め込んで組み合わせる工程、
角用保持具の２つの溝に残余の端辺を嵌め込んで、隣接するパネル同士間で角度が付くように保持する工程、
必要に応じてＬ字状又はＳ字状治具を用い、プラスチックパネル表面のリブ上に、前記リブの長さ方向と直交する方向及び／又は同一方向に棒状補強材を配置し、締付具で押圧してプラスチックパネルと棒状補強材を一体に支持固定する工程とを基本工程として具備しており、
締付具でプラスチックパネルと棒状補強材を一体に支持固定する工程が、
少なくとも４枚のプラスチックパネルを用い、プラスチックパネルは、リブの突起部側が互いに外側に向き、四方が囲まれた空間又は折曲部を有する壁状空間が形成されるようにして対向配置し、対向配置されたプラスチックパネルの孔から両端のネジ部が突出するようにして、必要に応じてスペーサーを介在させて締付具の棒状部を挿入する工程と、
突出した棒状部の両端側から締付部を螺合することで、プラスチックパネルを両外側から押圧して、対向配置されたプラスチックパネル同士と棒状補強材とを一体に支持固定する工程とを具備している、四方が囲まれた空間又は折曲部を有する壁状空間を形成するための施工方法を提供するものである。
【００２４】
このような施工方法は、四方が囲まれた空間又は折曲部を有する壁状空間内にコンクリートを打設して、建築物の柱、土台等を造る施工方法に適している。プラスチックパネルの配置状態を調整することで、一般家屋から大規模建築物まで対応することができる。
【００２５】
請求項７又は８の施工方法においては、リブの向きが所望方向になるようにしてプラスチックパネルを使用することができる。施工現場の状況は様々であるため、状況に応じて、プラスチックパネルの組立方向を決定することができる。例えば、施工時の設置面に対してリブが平行になる方向、垂直になる方向のほか、交互に平行方向と垂直方向になるように組み合わせることもできる。
【００２６】
２枚以上のプラスチックパネルを使用する場合、２枚以上のプラスチックパネルの端同士を孔が一致するように重ね合わせ、重ね合わされた部分の孔に請求項６記載の矢尻状治具を差し込んで連結することにより、連結作業が容易となる。
【００２７】
【発明の実施の形態】
以下において、各図面により、本発明の組立式型枠材の実施の形態について説明する。
【００２８】
（１）実施の形態１
図１はプラスチックパネルの斜視図である。プラスチックパネル１０は、リブのない平面部１２、所定間隔をおいて一方向に形成された複数のリブ１４、平面部１２に設けられた複数の孔１６とからなるものである。
【００２９】
リブ１４の断面形状は、三角形、円弧状又はそれらに類似する形状、例えば、台形、楕円形のものが好ましい。
【００３０】
リブ１４の突出部は、断面における最大高さが好ましくは５〜５０ｍｍ、より好ましくは１０〜２５ｍｍで、最大幅が好ましくは３〜３０ｍｍ、より好ましくは５〜２０ｍｍである。リブ１４の突出部における最大高さは、プラスチックパネル１０の厚み（ｗ１）と一致する。
【００３１】
リブ１４は、等間隔で、長さ方向に好ましくは５〜５０本／ｍ、より好ましくは２０〜３０本／ｍの割合で配置されていることが望ましい。リブ１４は、強度付与のため、幅方向の全長に形成されていることが望ましいが、部分的にのみ形成されていても良い。
【００３２】
平面部１２のリブ１４を除いた面には、締付具、治具等の取付用の複数の孔１６が設けられている。これらの孔１６は、治具等を取り付けるためのものであり、施工時において空気抜き作用はするが、積極的に水抜きをするためのものではない。よって、孔１６の径は、治具との関連で決定されるものであり、孔１６の数及び大きさは、施工時における治具の取付作業性を考慮すると共に、打設時にコンクリートが過度に水抜きされることのないように調整する。
【００３３】
プラスチックパネル１０において、平面部１２の厚みは、施工時における作業性や強度を保持する観点から、好ましくは０．２〜５．０ｍｍ、より好ましくは０．５〜３．０ｍｍ、更に好ましくは０．５〜２．０ｍｍである。
【００３４】
プラスチックパネル１０は、それ自体に大きな強度が要求されるものではないため、ペットボトル等の廃プラスチックを原料として製造することができる。１枚のプラスチックパネルの大きさ（高さ、幅）は同一でなくても良く、巻物状のパネルを現場で切断使用できる。また、予め所望形状に切断したものを用いても良い。施工現場の状況により異なるものの、施工作業の容易さを考慮すると、１枚のプラスチックパネルの高さと幅は、それぞれが１ｍ前後であることことが好ましい。
【００３５】
図２（ａ）はパネル用保持具２０の斜視図である。パネル用保持具２０は、プラスチックパネル１０の一端辺又は対向する両端辺を嵌め込んで、プラスチックパネル１０を保持するためのものである。
【００３６】
パネル用保持具２０は、支持壁２２、端太部２４、支持壁２２と端太部２４で挟まれた溝部２６とからなり、１つを使用するか、又は同様の構造のもの２つを１対として使用する。
【００３７】
溝部２６には、プラスチックパネル１２の一端辺１２ａ（若しくは他端辺１２ｂ）又は一端辺１２ｃ（若しくは図示していない一端辺１２ｃに対向する端辺）が嵌め込まれる。このため、溝部２４の幅ｗ２（図２（ｂ））とプラスチックパネル１０の厚みｗ１とは、同一又はｗ２の方がｗ１よりも僅かに大きくなるように調整されている。溝部２６にプラスチックパネル１０の端辺を嵌め込むときは、リブ１４の突出方向が端太部２４側になるように嵌め込む。
【００３８】
支持壁２２は、溝部２６の底面に対して所望の角度（図２（ｂ）中の角度ａ）になるようにして設けられており、溝部２６にプラスチックパネル１０の端辺を嵌め込んだとき、支持壁２２に平面部１２が当接される。支持壁２２と溝部２６の底面とのなす角度ａは、施工対象となる成型物の形状に応じて適宜設定できる。前記角度ａを９０°にしたときには、垂直壁が形成されることになる。このように支持壁２２に平面部１２が当接されることで、プラスチックパネル１０の傾き方向が決定支持される。
【００３９】
端太部２４は、支持壁２２と共にプラスチックパネル１０の端辺を挟み込んで固定するように作用するほか、施工時において、パネル用保持具２０自体が撓んだり、折れ曲がったりすることを防止するようにも作用する。更に、施工時においては、端太部２４上に棒状補強材３０の一端面を載せ、棒状補強材３０を支持するようにも使用できる。
【００４０】
端太部２４は、軽量化の観点からは中空構造であることが好ましく、補強作用を高める観点からは、中空部分に所要数の仕切り壁２５を設けることが好ましい。
【００４１】
図３は棒状補強材３０の斜視図である。棒状補強材３０は、施工時においてプラスチックパネル１０表面のリブ１４上に配置し、プラスチックパネル１０を支持補強するためのものである。
【００４２】
棒状補強材３０の長さは、プラスチックパネル１０の長さに応じて適宜設定することができる。幅方向の断面形状は特に制限されるものではないが、Ｌ字状治具を用いるときは図３に示すような四角形のものが好ましく、Ｓ字状治具を用いるときは円形のものが好ましい。
【００４３】
棒状補強材３０は、軽量化を図り、補強効果を高める観点から、図３に示すとおり、内部を中空構造とし、中空部分に所要数の仕切り壁３１を設けることが好ましい。
【００４４】
図４は締付具４０の平面図である。締付具４０は、施工時において、所定間隔をおき対向して配置された２枚のプラスチックパネル１０と棒状補強材３０とを、プラスチックパネル１０の両外側から押圧して支持固定するためのものである。施工時においては、図４中の実線で示すようにプラスチックパネル１０が位置する。
【００４５】
締付具４０は、棒状部（セパレータ）４２と、棒状部４２の両端側のネジ部４３に螺合可能に取り付けられた締付部（ホームタイ）４４とを有している。
【００４６】
棒状部４２は、両端側のネジ部４３をプラスチックパネル１０の孔１６に差し込むものであるから、ネジ部４３の径は、プラスチックパネル１０の孔１６の径とほぼ同一であるか、孔１６の方が少し大きくなるように調整されている。棒状部４２の長さは、施工現場の要請により、様々な長さのものを用意する。
【００４７】
締付部４４に設けられた凹部４６は、凹部４６を棒状補強材３０に対して当接することで、締め付け時において、棒状補強材３０の位置がずれないようにするためのものである。凹部４６の形状は、棒状補強材３０の幅方向への断面形状に対応させることが好ましい。
【００４８】
組立式型枠材は、少なくとも上記したプラスチックパネル１０、パネル用保持具２０、棒状補強材３０、締付具４０を有するものであり、施工作業性を高めるため、以下に説明する他の部材を組み合わせることができる。
【００４９】
図５はスペーサ５０の斜視図である。スペーサ５０は、締付具４０による締め付け強度を高めるように作用するものである。
【００５０】
スペーサ５０は、角柱状（又は平板状でも良い）の本体部５１と、本体部５１に設けられた貫通孔５２とからなるものである。角柱状の本体部５１は、軽量化のために内部を中空にしたり、開放面を設けたりすることができるほか、補強のために中空部分に仕切り壁を設けることもできる。貫通孔５２の径は、棒状部４２のネジ部４３を通すためのものであるから、プラスチックパネル１０の孔１６の径と同程度に設定されている。
【００５１】
スペーサ５０は、図４に示すようにして、棒状部４２のネジ部４３を通した状態で配置され、この状態のままで締付部４４をねじ込んで締め付けていく。このようにスペーサー５０を介在させることで、締付部４４が直接プラスチックパネル１０を押圧することがないので、締付部４４による押圧力により、プラスチックパネル１０が破損することなく、締め付け強度を高めることができる。
【００５２】
図６はＬ字状治具６０の正面図である。Ｌ字状治具６０は、プラスチックパネル１０の孔１６に引っ掛けるための先端折曲部６１、棒状補強材３０を載せて支持するための支持部６２、棒状補強材３０を挟み込んで支持するための第１折曲部６３、第２折曲部６４からなるものである。
【００５３】
図７はＳ字状治具７０の正面図である。Ｓ字状治具７０は、プラスチックパネル１０の孔１６に引っ掛けるための折曲部７１、棒状補強材３０（幅方向の断面が円形のもの）を載せて支持するための折曲支持部７２からなるものである。
【００５４】
図８は矢尻状治具８０の正面図である。矢尻状治具８０は、複数のプラスチックパネル１０を連結するための治具である。
【００５５】
矢尻状治具８０は、基板部８１と、基板部８１上に突設された矢尻部８２とを有している。矢尻部８２は、柱部８３と、柱部８３から斜め下方向に延ばされた２つの羽根部８４とからなっている。これらの羽根部８４は、３枚又は４枚以上を設けることができるほか、羽根部を傘状にすることもできる。矢尻状治具８０は、少なくとも２つの羽根部８４が、プラスチック、金属等の弾性部材からなっている。
【００５６】
矢尻状治具８０は、２枚のプラスチックパネル１０の端部同士を孔１６が一致するように重ね合わせた後、前記孔１６に差し込むことで連結する。このように差し込んで使用したとき、プラスチックパネル１０の一面側に基板部８１が残り、他面側に矢尻部８２が突き出された状態となる。
【００５７】
以上のプラスチックパネル１０、パネル用保持具２０、棒状補強材３０、締付具４０、スペーサ５０、Ｌ字状治具６０又はＳ字状治具７０、矢尻状治具８０からなる組み合わせのものを、組立式型枠材として使用できる。
【００５８】
（２）実施の形態２
次に、図９により、実施の形態１で説明した組立式型枠材を用いた施工方法について説明する。なお、以下に示す施工手順は一例であり、施工現場の状況や作業員の工夫により、適宜改変することができる。
【００５９】
まず、１枚のプラスチックパネル１０の対向する両端辺１２ａ、１２ｂを、２つのパネル用保持具２０の溝２６に嵌め込む。このとき、プラスチックパネル１０のリブ１４の突出側が端太部２４側になり、パネル用保持具２０の長さ方向に対してリブの形成方向（図中のＸ方向）が直交するように嵌め込む。
【００６０】
このようなプラスチックパネル１０とパネル用保持具２０とを組み合わせたものを所要数準備する。
【００６１】
次に、２枚のプラスチックパネル１０を対向配置した後、それぞれの正対する孔１６に、締付具４０の棒状部４２両端のネジ部４３を内側から挿入し、締付部４４で仮止めする。このとき、図４に示すようにして、スペーサー５０を配置しても良い。このように、締め付け前に締付具４０を用いて仮止めすることで、２枚のプラスチックパネル１０を立たせた状態で対向配置できる。
【００６２】
次に、図９に示すように、所要数のＬ字状治具６０をプラスチックパネル１０の孔１６に間隔をおいて引っ掛けた後、所要本数の棒状補強材３０ａを架け渡す（図９では１本のみを図示）。更に、架け渡した棒状補強材３０ａと直交するようにして、２本の棒状補強材３０ｂを配置する。この直交配置する２本の棒状補強材３０ｂは、締付部４４の２つの凹部４６で支持する。
【００６３】
次に、締付部４４をねじ込んで締め付けて行く。この締め付け作業により、２枚の対向配置されたプラスチックパネル１０は、２方向に配置された棒状補強材３０ａ、３０ｂ、棒状部４２の作用により、支持固定される。このようにして、組立式型枠材は、図９に示すように組み立てられ、２枚の対向配置されたプラスチックパネル１０間には、コンクリートを打設するための壁状空間が形成される。
【００６４】
コンクリートの打設後、締付部４４、スペーサ５０、パネル用保持具２０、棒状補強材３０ａ、３０ｂ、Ｌ字状治具６０は取り外して再利用する。
【００６５】
なお、コンクリートの打設時において、プラスチックパネルのリブ１４及び孔１６は空気抜き用の通路として作用し、孔１６は若干の水を排出するが、過度の水を排出することはないので、コンクリート強度を低下させることはない。
【００６６】
（３）実施の形態３
次に、図１０により、実施の形態１で説明した組立式型枠材を用いた他の施工方法について説明する。なお、以下に示す施工手順は一例であり、施工現場の状況や作業員の工夫により、適宜改変することができる。
【００６７】
基本作業は実施の形態２と同じであるが、図１に示すプラスチックパネル１０の一端辺１２ｃ（又は図示していない一端辺１２ｃに対向する端辺）がパネル用保持具２０の溝部２６に嵌め込まれている。また、プラスチックパネル１０は、パネル用保持具２０の長さ方向とリブ１４の形成方向（図中のＸ方向と直交する方向）が一致するようにして嵌め込まれている。
【００６８】
次に、実施の形態２と同様にして、締付具４０を用い、２枚のプラスチックパネル１０を対向配置する。
【００６９】
次に、締付部４４の２つの凹部４６で支持し、２本の棒状補強材３０を配置する。この２本の棒状補強材３０は、図中のＸ方向に配置されているので、リブ１４の形成方向とは直交している。
【００７０】
次に、締付部４４をねじ込んで締め付けて行く。この締め付け作業により、２枚の対向配置されたプラスチックパネル１０は、棒状補強材３０、棒状部４２の作用により、支持固定される。このようにして、組立式型枠材は、図１０に示すように組み立てられ、２枚の対向配置されたプラスチックパネル１０間には、コンクリートを打設するための壁状空間が形成される。
【００７１】
実施の形態３の施工方法と、上記した実施の形態２の施工方法とは、施工現場の状況に応じて、組み合わせて適用することができる。例えば、所要長さの壁状空間を形成するときに、隣接するプラスチックパネル１０ごとに実施の形態２と実施の形態３の施工方法を交互に適用することができる。
【００７２】
（４）実施の形態４
次に、実施の形態１で説明した組立式型枠材において、更に図１１で示す角用保持具を有する形態について説明する。図１１は、角用保持具の斜視図である。
【００７３】
角用保持具９０は、施工時において２枚の隣接するプラスチックパネル１０同士に角度が付くように（好ましくは直角に）組み合わせる際に使用するためのものである。
【００７４】
角用保持具９０は、外壁部９１、直交配置された２つの縦リブ９２、９３、外壁部９１と２つの縦リブ９２、９３により形成された縦溝部９４、９５とを有している。
【００７５】
この縦溝部９４、９５内に、プラスチックパネル１０の端辺を嵌め込むが、嵌め込み状態は、図９、図１０に示した施工方法に応じて、図１２、図１３のいずれの形態も適用できる。図１２、図１３は、角用保持具９０を使用して２枚のプラスチックパネル１０を接続した状態を示す平面図である。
【００７６】
図１２に示すとおり、図１に示すプラスチックパネル１０の一端辺１２ｃ（又は図示していない一端辺１２ｃに対向する端辺）を角用保持具９０の縦溝部９４、９５に嵌め込むことができる。この場合、プラスチックパネル１０の一端辺１２ａ（又は１２ｂ）を縦溝部９４、９５に嵌め込んでも良い。なお、図１２では、図面を見やすくするため、パネル用保持具２０を実線で表示し、本来は見えないプラスチックパネル１０等も実線で表示している。
【００７７】
図１３に示すとおり、図１に示すプラスチックパネル１０の一端辺１２ｃを縦溝部９５に嵌め込み、一端辺１２ｂを縦溝部９４に嵌め込むことができる。図１３では、縦溝部９５側に嵌め込んだプラスチックパネル１０は、上下端辺１２ａ、１２ｂを２つのパネル用保持具２０の溝部２６に嵌め込むが、縦溝部９４側に嵌め込んだプラスチックパネル１０は、下端辺１２ｃのみを１つのパネル用保持具２０の溝部２６に嵌め込み、そのとき、棒状保持具３０の下端面は、パネル用保持具２０の端太部２４上に載ることになる。
【００７８】
（５）実施の形態５
次に、図１２、１３により、実施の形態４で説明した角用保持具９０を含む組立式型枠材を用いた施工方法について説明する。なお、以下に示す施工手順は一例であり、施工現場の状況や作業員の工夫により、適宜改変することができる。
【００７９】
角用保持具９０を使用した場合においても、基本的な作業手順は実施の形態２、実施の形態３と同様であり、隣接する２枚のプラスチックパネル１０を直角に組み合わせるときの作業が付加されるだけである。
【００８０】
隣接する２枚のプラスチックパネル１０を直角に組み合わせるときは、図１２、図１３に示す状態になるように作業する。
【００８１】
このようにして、組立式型枠材を組み立てることにより、コンクリートを打設するための四方が囲まれた空間又は折曲部を有する壁状空間を形成することができる。図１４、図１５は、角用保持具９０を含む組立式型枠材を使用した場合の施工例を示す写真であり、図１５から明らかなとおり、コンクリート打設用の柱状空間が形成されている。
【００８２】
なお、図１４、図１５で使用したプラスチックパネル１０の材質は再生ポリエチレンテレフタレート（再生Ａ−ＰＥＴ）であり、寸法は、本体部１２の厚み１ｍｍ、リブ山の高さ（Ｗ１）１６ｍｍ、幅９８０ｍｍ、高さ９１０ｍｍである。リブ１４は、１枚につき計２３本が等間隔をおいて一方向に設けられており、孔１６は、２つのリブ１４で挟まれた本体部１２において、１列に１８個（孔径９ｍｍ）ずつが等間隔で設けられ、計１１個×２４列が設けられている。
【００８３】
【発明の効果】
本発明の組立式型枠材によれば、下記のとおりの優れた効果を得ることができるため、施工現場等における有用性が非常に高い。
【００８４】
▲１▼合板に比べると軽量であるため〔合板の１／２０の質量（ｍ２当たり）〕、高齢者や女性であっても運搬及び施工現場での取り扱いが容易である。
【００８５】
▲２▼巻いた状態で保管できるので、保管スペース及び運搬スペースが小さくなるため、保管及び運搬コストが低減できる。
【００８６】
▲３▼プラスチックパネル、パネル用保持具、棒状補強材は、施工現場において容易に切断使用できるので、予め所要長さのものを準備しておく必要がない。また、所要長さのものを準備する場合でも作業が容易である。
【００８７】
▲４▼組立が簡単で熟練を必要としないので、アルバイトのような素人作業員が一人でも組み立てることができる。合板を使用した場合には熟練が要求されるので、熟練作業員の確保が必要となる。
【００８８】
▲５▼組立時間が短いので、施工時間が短縮できる。
【００８９】
▲６▼プラスチックパネル等は、コンクリートの打設後、合板のように取り外す必要がなく、そのまま埋設することができる。一部構成物品は再利用することができる。
【００９０】
▲７▼廃プラスチック（回収ペットボトル等）から製造できるので、資源を有効利用することができ、ゴミの減量化と共に、木材資源も保護できる。
【図面の簡単な説明】
【図１】プラスチックパネルの斜視図。
【図２】図２（ａ）はパネル用保持具の斜視図、図２（ｂ）は図２（ａ）の側面図。
【図３】棒状補強材の斜視図。
【図４】締付具の平面図。
【図５】スペーサの斜視図。
【図６】Ｌ字状治具の正面図。
【図７】Ｓ字状治具の正面図。
【図８】図８（ａ）は矢尻状治具の一正面図、図８（ｂ）は図８（ａ）とは異なる角度からの正面図。
【図９】組立式型枠材を用いた施工方法の説明図。
【図１０】組立式型枠材を用いた他の施工方法の説明図。
【図１１】角用保持具の斜視図。
【図１２】角用保持具を用いた場合の施工方法の説明図。
【図１３】角用保持具を用いた場合の他の施工方法の説明図。
【図１４】組立式型枠材を用いた施工方法を説明する写真。
【図１５】組立式型枠材を用いた施工方法を説明する写真。
【図１６】従来技術の斜視図。
【符号の説明】
１０  プラスチックパネル
２０  パネル用保持具
３０  棒状補強材
４０  締付具
５０  スペーサ
６０  Ｌ字状治具
７０  Ｓ字状治具
８０  矢尻状治具
９０  角用保持具
【図１】
2004197348.tif 000003
【図２】
2004197348.tif 000004
【図３】
2004197348.tif 000005
【図４】
2004197348.tif 000006
【図５】
2004197348.tif 000007
【図６】
2004197348.tif 000008
【図７】
2004197348.tif 000009
【図８】
2004197348.tif 000010
【図９】
2004197348.tif 000011
【図１０】
2004197348.tif 000012
【図１１】
2004197348.tif 000013
【図１２】
2004197348.tif 000014
【図１３】
2004197348.tif 000015
【図１４】
2004197348.tif 000016
【図１５】
2004197348.tif 000017
【図１６】
2004197348.tif 000018